(57)【要約】【課題】スノーボード、スキー等の滑走中に後方あるいは側方の滑走者が容易に確認できるスポーツ用手袋のミラー付きバンドを得る。【解決手段】手袋（１）の手首包囲部に巻回するバンド（５）を設け、該バンド（５）であってかつ手袋（１）の甲の親指袋（３ａ）側の部位に手袋（１）の指先方向に向かって突出する凸面鏡（１０）を設ける。また、バンド（５）であってかつ手袋（１）の甲の親指袋（３ａ）側の部位に手袋（１）の指先方向に向かって突出する台布（８）を設けるとともに、該台布（８）に手袋（１）の親指袋（３ａ）に巻回可能な係止帯（９）を設け、前記台布（８）に凸面鏡（１０）を設ける。【選択図】図１
2006198092.tif 000002
【特許請求の範囲】
【請求項１】
手袋（１）の手首包囲部に巻回するバンド（５）を設け、該バンド（５）であってかつ手袋（１）の甲の親指袋（３ａ）側の部位に手袋（１）の指先方向に向かって突出する反射鏡（１０）を設けたことを特徴とするスポーツ用手袋のミラー付きバンド。
【請求項２】
バンド（５）であってかつ手袋（１）の甲の親指袋（３ａ）側の部位に手袋（１）の指先方向に向かって突出する台布（８）を設けるとともに、該台布（８）に手袋（１）の親指袋（３ａ）に巻回可能な係止帯（９）を設け、前記台布（８）に反射鏡（１０）を設けたことを特徴とする請求項１記載のスポーツ用手袋のミラー付きバンド。
【請求項３】
バンド（５）の面部にポケット（１１）を設けたことを特徴とする請求項１又は２記載のスポーツ用手袋のミラー付きバンド。
【発明の詳細な説明】
【技術分野】
【０００１】
本発明は、スノーボード、スキー等のスポーツを行う際に装着するスポーツ用手袋のミラー付きバンドに関するするものである。
【背景技術】
【０００２】
従来の技術として、手袋の甲の部分に反射鏡を取り付けたものがあった。
【０００３】
上記従来のものは、反射鏡を手袋の甲側に直接固定していたため、該反射鏡の像を見る際には、手首を顔側に向けて大きく回動させる必要があり、滑走中に後方あるいは側方の滑走者を確認する際に危険を伴うものであった。また、大きさ及び形状が限定され、スポーツの種類に適した反射鏡を取り付けることができ難いものであった。
【特許文献１】実用新案登録第３０２９３８７号公報
【発明の開示】
【発明が解決しようとする課題】
【０００４】
本発明は、スノーボード、スキー等の滑走中に後方あるいは側方の滑走者が容易に確認でき、他の滑走社との衝突を未然に防止することできるスポーツ用手袋のミラー付きバンドを得ることを目的とする。
【課題を解決するための手段】
【０００５】
請求項１に係る発明は、手袋の手首包囲部に巻回するバンドを設け、該バンドであってかつ手袋の甲の親指袋側の部位に手袋の指先方向に向かって突出する反射鏡を設ける構成にしたものである。
請求項２に係る発明は、前記バンドであってかつ手袋の甲の親指袋側の部位に手袋の指先方向に向かって突出する台布を設けるとともに、該台布に手袋の親指袋に巻回可能な係止帯を設け、前記台布に反射鏡を設ける構成にしたものである。
請求項３に係る発明は、前記バンドの面部にポケットを設けたものである。
【発明の効果】
【０００６】
請求項１に係る発明は、反射鏡を手袋の甲の親指袋側に設けたので、手首の回動を小さくして後方あるいは側方の像を見ることができ、滑走中に後方あるいは側方の滑走者を安全な動作で確認することができ、他の滑走社との衝突を未然に防止することできる。また、手袋と別体のバンドに反射鏡を取り付けるようにしたので、スポーツの種類に適した大きさ及び形状の反射鏡を容易に取り付けることができる。
請求甲２に係る発明は、係止帯を手袋の親指袋に巻回することによって、反射鏡の手袋に対する周方向の位置が規定位置に定まるとともに、この位置が滑走時の動作等によって不用意に変化しなくなる。
請求項３に係る発明は、バンドに形成したポケットに電子カード、チケット等の小物を収容することができ、改札口を迅速に通過することができる。
【発明を実施するための最良の形態】
【０００７】
以下本発明の実施の形態を図面に基いて説明する。図面において、図１は本発明を手袋に装着した状態の斜視図、図２はポケットを開いた状態の斜視図、図３は本発明によるミラー付きバンドの斜視図である。
【０００８】
図１において、１は手袋、５は該手袋１の手首包囲部４に巻き付けるバンドである。手袋１はスノーボードで滑走する際に装着するものであり、厚手の布材により各指袋、即ち、親指袋３ａ、人指し指袋３ｂ、中指袋３ｃ、薬指袋３ｄ、小指袋３ｅが互いに分離された手袋主体部２、及び手首部を包囲する手首包囲部４を一体に有する。
【０００９】
上記バンド５は、図３に示すように、帯び状のバンド主体５ａの一端部（図３において左端部）に枠形の係止金具６を取付け、バンド主体５ａの他端部とこれが当接するバンド主体５ａの外面部とに互いに係脱可能な面ファスナー７を取付ける。上記バンド主体５ａの長手方向中間部に山形の台布８を図３において上方に突出させて逢着し、該台布８の図３において右端部に、親指袋３ａに巻回可能な係止帯９を逢着する。
【００１０】
上記台布８の外面側に半円状の反射鏡、本例では凸面鏡１０を取り付ける。該凸面鏡１０は台布８に面ファスナーを介して着脱可能に取り付けてもよく、あるいは接着剤を介して一体的に取付けるようにしてもよい。なお、凸面鏡１０はプラスチック製又は金属製とし、その基部をバンド主体５ａに直接逢着または接着して係止するようにしてもよい。この場合、上記台布８を省略し、係止帯９はその基部を上記凸面鏡９の内面側に固着するようにする。図１において、９ａは係止帯９に取り付けた面ファスナーである。
【００１１】
上記バンド主体５ａの長手方向中間部に、ポケット１１、デジタル時計１２、及び携帯電話の着信表示灯１３を、小指袋３ｅ側から親指袋３ａ側に向けて配列装着する。ポケット１１は図２に示すように、長方形状の収容部１１ａをバンド主体５ａの内面側に形成するとともに、指袋側で開口させ、この開口部を蓋１１ｂにより開閉する。１１ｃ，１１ｃは蓋１１ｂの先端部をバンド主体５ａに係脱させる面ファスナーである。上記着信表示灯１３は、リード線形のアンテナ１３ａをバンド主体５ａに沿って逢着する。
【００１２】
上記バンド主体５ａを手袋１の手首包囲部４に巻き付け、かつ係止帯９を親指袋３ａに巻回した際には、図１に示すように、前述した凸面鏡１０が親指袋３ａと人指し指袋３ｂとの間に位置し、また、ポケット１１、デジタル時計１２、及び着信表示灯１３が手袋の甲側に位置する如く配列する。なお、上記凸面鏡１０は平面鏡としてもよい。
【００１３】
上記実施例によれば、バンド主体５ａを手袋１の手首包囲部４に巻き付けるとともに、係止帯９を親指袋３ａに巻回すると、凸面鏡１０が親指袋３ａと人指し指袋３ｂとの間で指先方向に延出することになる。これにより、手首の回動量を小さくしながら凸面鏡１０で後方あるいは側方の滑走者を、安全な動作で容易に確認することができ、他の滑走社との衝突を未然に防止することできる。
【００１４】
さらに、凸面鏡１０は手袋１と別体のバンド主体５ａに取り付けるようにしたので、スポーツの種類に適した大きさ及び形状の凸面鏡１０を容易に取り付けることができる。また、ポケット１１、デジタル時計１２、着信表示灯１３が親指袋３ａと人指し指袋３ｂとの間に位置するので、ポケット１１への電子カード１４（図２）、チケット等の出し入れが迅速に行え、改札口での通過が迅速に行えるとともに、デジタル時計１２、着信表示灯１３の確認が手首の回動量を小さくして容易に行えることになる。
【図面の簡単な説明】
【００１５】
【図１】本発明を手袋に装着した状態の斜視図である。
【図２】ポケットを開いた状態の斜視図である。
【図３】本発明によるミラー付きバンドの斜視図である。
【符号の説明】
【００１６】
１    手袋
２    手袋主体部
３ａ  親指袋
３ｂ  人指し指袋
３ｃ  中指袋
３ｄ  薬指袋
３ｅ  小指袋
４    手首包囲部
５    バンド
５ａ  バンド主体
６    係止金具
７    面ファスナー
８    台布
９    係止帯
９ａ  面ファスナー
１０    凸面鏡（反射鏡）
１１    ポケット
１１ａ  収容部
１１ｂ  蓋
１１ｃ  面ファスナー
１２    デジタル時計
１３    着信表示灯
１３ａ  アンテナ
１４    電子カード
【図１】
2006198092.tif 000003
【図２】
2006198092.tif 000004
【図３】
2006198092.tif 000005